(57)【要約】【課題】視覚障害者支援として「振込取引」を健常者と同じ様な操作で可能とさせるＡＴＭの入力手段を提供する。【解決手段】ＡＴＭの視覚障害者専用キーの上部に点字を有するボタン・キーにおいて、３行４列のキー配列の平面上方に取り消しキーを、該平面下方に確定キーを有する。また、ＡＴＭのボードのタッチパネル上のタッチ・キーにおいて、３行４列のキー配列の平面上方に取り消しキーを、該平面下方に確定キーを有する。さらに、常時は退避するスライド自在の視覚障害者入力支援用プラスティック板を設ける。【選択図】図１
2014006710.tif 000002
【特許請求の範囲】
【請求項１】
ＡＴＭのボードに隣接して設けられ、３行４列、３行３列、４行３列または４行４列でそれぞれのキー上部に点字を有する視覚障害者専用押しボタン・キーを有し、
該３行４列、３行３列、４行３列または４行４列の押しボタン・キー配列の平面上方に取り消し押しボタン・キーを、該平面下方に確定押しボタン・キーを有することを特徴とするＡＴＭ用の押しボタン・キー装置。
【請求項２】
前記取り消し押しボタン・キー及び確定押しボタン・キーの上部にも点字を有することを特徴とする前記請求項１記載のＡＴＭ用の押しボタン・キー装置。
【請求項３】
ＡＴＭのボードのタッチパネル上に３行４列、３行３列、４行３列または４行４列で設けられた視覚障害者も使用できるタッチ・キーを有し、
該３行４列、３行３列、４行３列または４行４列のタッチ・キー配列の平面上方に取り消しタッチ・キーを、該平面下方に確定タッチ・キーを有することを特徴とするＡＴＭ用のタッチパネル。
【請求項４】
常時は退避し、必要時に前記タッチパネル上にスライドさせるスライド自在の視覚障害者入力支援用プラスティック板を設けたことを特徴とする前記請求項３記載のＡＴＭ用のタッチパネル。
【請求項５】
前記プラスティック板にはタッチパネル上にスライドさせたとき、タッチパネルの各タッチ・キーに対応する位置上に孔が空けられていて該孔を介してタッチ入力できることを特徴とする前記請求項４記載のＡＴＭ用のタッチパネル。
【請求項６】
前記プラスティック板にはタッチパネル上にスライドさせたとき、タッチパネルの各タッチ・キーに対応する位置上に空けられた孔と共に、前記３行４列、３行３列、４行３列または４行４列の各タッチ・キーに対応した孔の平面上方に取り消しタッチ・キーに対応する取り消しキー孔を、該平面下方に確定タッチ・キーに対応する確定キー孔を有することを特徴とする前記請求項４または５記載のＡＴＭ用のタッチパネル。
【請求項７】
前記プラスティック板にはタッチパネル上にスライドさせたとき、タッチパネルの各タッチ・キーに対応する位置上に孔が空けられると共に、該孔の平面近傍に点字を有することを特徴とする前記請求項４〜６の内、いずれか１項記載のＡＴＭ用のタッチパネル。
【発明の詳細な説明】
【技術分野】
【０００１】
本発明は、点字キーやタッチ・キーによる文字入力を可能とさせ、視覚障害者でも振込取引を可能とさせるＡＴＭに関する。
【背景技術】
【０００２】
従来、ＡＴＭでは視覚障害者支援として、「引出取引」、「預入取引」、「残高照会取引」、「通帳記帳取引」が行えるよう、各メーカーではハンドセット方式、テンキーボード方式、触覚記号方式にて対応している。例えば、特開２０００−２５１１２１号公報や特開平８−５５２６１号公報には、プッシュボタンを備えたハンドセットをＡＴＭに備え、音声ガイドにより振込み取引を行う提案がなされている。また、特開平８−５５２６１号公報の図５〜７には、ハンドセットを用いて音声ガイドにより視覚障害者が振込みを行う場合の手順が示されている。
【０００３】
しかし、どのメーカーのどの方式においても「振込取引」をＡＴＭのボードから健常者と同じ様な操作で可能とさせているものはない。
また、上記ハンドセットのプッシュボタンは、図６に示すように、通常４行３列の配列である。そして、ハンドセットを手に持って操作するため音声が聞き難く、また、プッシュボタンが小さいため、プッシュボタン操作が視覚障害者にはスムーズにできない欠点がある。
【０００４】
また、ＡＴＭの操作パネルのタッチパネル上に点字キーを設けるものが特開２００９−２１２０３１号公報（図１３）や特開２００６−１７２１８２号公報に示されているが、図５に示すように、従来は取り消しキーや確定キーが４列４行の最下段左右に設けられているため、視覚障害者は押し間違いを起こし易い欠点がある。なお、図５において、左側は既存テンキーの例であり、右側はこれに対応させて点字キーを配置したイメージを示す。
【先行技術文献】
【特許文献】
【０００５】
【特許文献１】特開２０００−２５１１２１号公報
【特許文献２】特開平８−５５２６１号公報
【特許文献３】特開２００９−２１２０３１号公報
【特許文献４】特開２００６−１７２１８２号公報
【発明の概要】
【発明が解決しようとする課題】
【０００６】
本発明は、視覚障害者支援として、ＡＴＭのボードを用い、健常者と同じ様な操作で「振込取引」を可能とさせるＡＴＭの入力手段を提供することを目的とする。
【課題を解決するための手段】
【０００７】
上記目的を達成するため、本発明に係るＡＴＭ用の押しボタン・キー装置は、ＡＴＭのボードに隣接して設けられ、３行４列、３行３列、４行３列または４行４列でそれぞれのキー上部に点字を有する視覚障害者専用押しボタン・キーを有し、該３行４列、３行３列、４行３列または４行４列の押しボタン・キー配列の平面上方に取り消し押しボタン・キーを、該平面下方に確定押しボタン・キーを有することを特徴とする。
【０００８】
さらに、前記取り消し押しボタン・キー及び確定押しボタン・キーの上部にも点字を有することを特徴とする。
また、本発明に係るＡＴＭ用のタッチパネルは、ＡＴＭのボードのタッチパネル上に３行４列、３行３列、４行３列または４行４列で設けられた視覚障害者も使用できるタッチ・キーを有し、該３行４列、３行３列、４行３列または４行４列のタッチ・キー配列の平面上方に取り消しタッチ・キーを、該平面下方に確定タッチ・キーを有することを特徴とする。
【０００９】
さらに、常時は退避し、必要時に前記タッチパネル上にスライドさせるスライド自在の視覚障害者入力支援用プラスティック板を設けたことを特徴とする。
さらにまた、前記プラスティック板にはタッチパネル上にスライドさせたとき、タッチパネルの各タッチ・キーに対応する位置上に孔が空けられていて該孔を介してタッチ入力できることを特徴とする。
【００１０】
さらにまた、前記プラスティック板にはタッチパネル上にスライドさせたとき、タッチパネルの各タッチ・キーに対応する位置上に空けられた孔と共に、前記３行４列、３行３列、４行３列または４行４列のタッチ・キーに対応した孔の平面上方に取り消しタッチ・キーに対応する取り消しキー孔を、該平面下方に確定タッチ・キーに対応する確定キー孔を有することを特徴とする。
【００１１】
さらにまた、前記プラスティック板にはタッチパネル上にスライドさせたとき、タッチパネルの各タッチ・キーに対応する位置上に孔が空けられると共に、該孔の平面近傍に点字を有することを特徴とする。
【発明の効果】
【００１２】
上記構成により、点字キーやタッチ・キー入力により従来困難とされていた視覚障害者による振込先入力や依頼元入力の操作を容易にさせることができる。
従って、視覚障害者が、ＡＴＭのボード上で、容易に、かつ、確実に「振込取引」等の操作を健常者と同様の操作で可能となる。
【００１３】
このことにより、視覚障害者団体と金融庁からの次の要望に応えられる。
●視覚障害者でも、ＡＴＭで振込取引が行なえる。
●視覚障害者支援ＡＴＭで振込取引を提供できる。
【図面の簡単な説明】
【００１４】
【図１】本発明の視覚障害者の入力支援用押しボタン・キーボードの説明図である。
【図２】本発明の視覚障害者の入力支援用タッチパネル・キーボードの説明図である。
【図３】図１、図２の視覚障害者の入力支援用キーボードの拡大図である。
【図４】図３の点字入力手順の説明図である。
【図５】従来の入力キーの配列を示す。
【図６】従来のハンドセットの入力キーの配列を示す。
【発明を実施するための形態】
【００１５】
以下、図１〜図４を参照しながら本発明に係る視覚障害者の振込取引支援装置について詳細に説明する。
図１は、本発明に係る視覚障害者の振込取引支援用のＡＴＭのボードの配置を示す。該ＡＴＭのボード２に隣接して視覚障害者専用押しボタン・キー１が設けられている。なお、図１において、２はＡＴＭのボード、３は静脈認証装置、４はハンドセット、９は手の形を表示したものである。6及び７は、以下に述べる取消キー及び確定キーである。
【００１６】
（実施例１）
図３には、実施例１の図1の前記視覚障害者専用キー１の拡大図を示す。該キーは３行４列でそれぞれのキー上部に点字を有する押しボタン型のキーである。該キーの配列は、左側キー１０〜１５が五十音キーであり、右側キー１６〜２１が濁音、撥音、特殊音／数字キーの配列である。なお、図３の説明は、後述する図２の場合にも同様に適用される。
【００１７】
図４には、その操作例を示す。図４（１）に示すように、３０の手順で押しボタンキーを押すと、３１の点字イメージのデータが入力され、３２のように音声ガイドから「ミ」の音がガイドされて入力を確認する。同様に、図４（２）に示すように、３４の手順で押しボタンキーを押すと、３５の点字イメージのデータが入力され、３６に示すように、音声ガイドから「ズ」の音がガイドされて入力を確認する。同様に、図４（３）に示すように、３７の手順で押しボタンキーを押すと、３８の点字イメージのデータが入力され、３９に示すように、音声ガイドから「ホ」の音がガイドされて入力を確認する。このように、点字入力は操作キーの回数が通常より多く、キー入力後には必ず確定キーを押す必要がある。確定キーは操作回数が多く、視覚障害者が他のキーと押し間違いがなく、かつ、容易に操作できることが望ましい。なお、図４の説明は、後述するタッチ・キーの場合にも同様に適用される。
【００１８】
上記視覚障害者専用キー１の特徴は、取消キー６が３行４列の主キー配列群の上方に設けられていて、確定キー７が３行４列の主キー配列群の下方に設けられている点である。このことにより、従来、図５に示すように、４列４行内の主キー配列の左右に設けられていた、テンキーと同じ大きさの取消キーと確定キーが視覚障害者にとって誤認し易かった欠点が改良されるという顕著な効果が生じる。なお、前記取り消しキー及び確定キーの上部にも点字を有することが望ましい。本発明のキー配置は、図３に示すように、確定キー７が３行４列の主キー配列群の下方に３行４列の主キー配列群のキーよりは大きなキーで設けられており、また、上方に設けられている取り消しキー６と位置的に明確に分離されている。従って、その位置が視覚障害者にも分かり易く、しかも、大きさが異なるので、他のキーとの押し間違いがない。本発明のキー配置は、視覚障害者でも「他のキーとの押し間違いがなく、かつ、容易に操作できる」というニーズに対応した最適なものとなっている。なお、上記主キー配列群は、３行４列のみならず、３行３列、４行３列、４行４列等でもよい。
【００１９】
（実施例２）
図２は、本発明の実施例２の視覚障害者も使用できるタッチ・キー８を示す。図２のＡＴＭのボード２上にはタッチパネルが設けられていて、その右下コーナーには、前記と同様の３行４列のキー配列及び取消キー２５，確定キー２６のキー領域が設けられている。
【００２０】
該タッチ・パネル上には、プラスティック板（例えば、アクリル板）からなる視覚障害者入力支援用ガイド板２３が摺動可能に設けられている。前記プラスティック板にはタッチパネル上にスライドさせたとき、タッチパネルの各タッチ・キーに対応する位置上に孔が空けられていて、視覚障害者は該孔を介してタッチ入力できるようになっている。該視覚障害者入力支援用ガイド板２３は、通常はＡＴＭのボードの右外側２８に収納されていて、視覚障害者がタッチパネルを用いるときのみＡＴＭのボード上に移動させて使用される。健常者の場合は、上記視覚障害者入力支援用ガイド板２３の収納状態でタッチパネルを用いる。なお、引き出し爪２４は、上記ガイド板２３をＡＴＭのボード上に移動させる場合に用いられる。
【００２１】
この実施例２の場合も、上記視覚障害者も使用できるタッチ・キー８の特徴は、テンキーとは大きさの異なる取消キー２５が３行４列の主キー配列群の上方に設けられていて、テンキーとは大きさの異なる確定キー２６が３行４列の主キー配列群の下方に設けられている点である。
【００２２】
このことにより、従来、大きさがテンキーと同じで４行４列内の主キー配列の左右に設けられていた取消キーと確定キーが視覚障害者にとって誤認し易かった欠点が改良されるという顕著な効果が生じる。実施例１と同様に、本発明の実施例２のキー配置は、視覚障害者でも他のキーとの押し間違いがなく、かつ、容易に操作できるという、視覚障害者のニーズに対応した最適なものとなっている。
【００２３】
前記プラスティック板にはタッチパネル上にスライドさせたとき、タッチパネルの３行４列の主キー配列群の各タッチ・キーに対応する位置上に孔が空けられていると共に、上記３行４列のキー配列の平面上方に取り消しキーに対応する取り消しキー孔２５を、該平面下方に確定キーに対応する確定キー孔２６を有する。
【００２４】
また、前記プラスティック板にはタッチパネル上にスライドさせたとき、タッチパネルの各キーに対応する位置上に孔が空けられていると共に、該孔の平面上方や下方、あるいは、左側や右側のいずれか近傍に点字を有していてもよい。このことにより、視覚障害者は孔の位置のみならず、各孔がどのキーに対応するかを確認することができる。
【００２５】
また、前記確定キーに対応する確定キー孔２６は、前記３行４列の主キー配列群の各タッチ・キーに対応する位置上の孔より大きいので、視覚障害者にも分かり易く、入力ミスが少ない。
【００２６】
なお、実施例１と同様に、上記主キー配列群は、３行４列のみならず、３行３列、４行３列、４行４列等でもよい。
【産業上の利用可能性】
【００２７】
本発明のＡＴＭ入力キーは、ＡＴＭの操作パネル上に設けられ、視覚障害者が容易に、かつ、確実に、振込み等の操作ができるので、このようなＡＴＭのニーズは高く、産業上の利用性が高い。
【００２８】
また、視覚障害者団体と金融庁からの次要望にも応えられる。
●視覚障害者でも、ＡＴＭで振込取引が行なえる
●視覚障害者支援ＡＴＭで振込取引を提供できる
従って、社会的ニーズにも対応し、産業上の利用性が高い。
【符号の説明】
【００２９】
１  視覚障害者用押しボタン・キー
２  ＡＴＭボード
３  静脈認証装置
４  ハンドセット
６  取消キー
７  確定キー
１０〜１５  五十音キー
１６〜２１  濁音・撥音・特殊音／数字キー
２３  視覚障害者入力支援用ガイド板
２４  引き出し用爪
２５  取消キー
２６  確定キー
【図１】
2014006710.tif 000003
【図２】
2014006710.tif 000004
【図３】
2014006710.tif 000005
【図４】
2014006710.tif 000006
【図５】
2014006710.tif 000007
【図６】
2014006710.tif 000008